(57)【特許請求の範囲】
【請求項１】
複数台の遊技機が一列状態に配置されて遊技島装置が構成され、合流搬送部分と主搬送部分を連続させて薄片を搬送する主搬送路が形成され、前記遊技機間の所要箇所に配置された遊技媒体の貸付装置に入れ込まれた薄片を前記合流搬送部分によって主搬送路へ合流させ、前記合流搬送部分から入れ込まれる薄片を前記主搬送部分によって前記主搬送路に沿って搬送する薄片搬送装置が前記遊技島装置の背面側に沿って配置され、前記主搬送路の終端部に設ける下流側端板の外側面に取り付けた収納部分に薄片を搬送して収納するよう構成され、前記薄片搬送装置の末端が遊技店内の通路の通行方向に対して斜めに交差配置される薄片搬送装置において、前記下流側端坂は前記通路の通行方向に対して平行に配置され、前記収納部分は前記主搬送路から搬送される前記薄片を取り込む収納搬送路を備え、前記主搬送路の終端部分を形成するよう前記合流搬送部分の１つが配置され、前記主搬送路の終端部分と前記収納搬送路の始端部分との間に、前記主搬送路の終端部分から斜めに搬送される前記薄片の搬送方向を前記収納搬送路の始端部分に向けて屈曲させる屈曲部分が配置され、前記屈曲部分は、前記薄片を前記主搬送路の終端部分から前記収納搬送路の始端部分へ案内するよう前記終端部分を形成する前記合流搬送部分に固定した主搬送側部材に設けた内側案内片と、この内側案内片が入れ込まれるよう前記始端部分に固定した収納側部材に設けた外側案内片と、前記主搬送側部材と前記収納側部材とを連結してこの両者のなす角度を可変する可変角度部分とを備え、前記可変角度部分によって前記外側案内片と前記内側案内片との重ね合わせ量が可変することを特徴とする薄片搬送装置。
【請求項２】
複数台の遊技機が一列状態に配置されて遊技島装置が構成され、合流搬送部分と主搬送部分を連続させて薄片を搬送する主搬送路が形成され、前記遊技機間の所要箇所に配置された遊技媒体の貸付装置に入れ込まれた薄片を前記合流搬送部分によって主搬送路へ合流させ、前記合流搬送部分から入れ込まれる薄片を前記主搬送部分によって前記主搬送路に沿って搬送する薄片搬送装置が前記遊技島装置の背面側に沿って配置され、前記主搬送路の終端部に設ける下流側端板の外側面に取り付けた収納部分に薄片を搬送して収納するよう構成され、前記薄片搬送装置の末端が遊技店内の通路の通行方向に対して斜めに交差配置される薄片搬送装置において、前記下流側端坂は前記通路の通行方向に対して平行に配置され、前記収納部分は前記主搬送路から搬送される前記薄片を取り込む収納搬送路を備え、前記主搬送路の終端部分を形成するよう前記合流搬送部分の１つが配置され、前記主搬送路の終端部分と前記収納搬送路の始端部分との間に、前記主搬送路の終端部分から斜めに搬送される前記薄片の搬送方向を前記収納搬送路の始端部分に向けて屈曲させる屈曲部分が配置され、前記屈曲部分は、前記薄片を前記主搬送路の終端部分から前記収納搬送路の始端部分へ案内するよう前記主搬送路の終端部分を形成する前記合流搬送部分に固定した主搬送側部材に設けた内側案内片と、この内側案内片の先端部分が入れ込まれるよう前記始端部分に固定した収納側部材に設けた外側案内片と、前記主搬送側部材と前記収納側部材とを連結してこの両者のなす角度を可変する可変角度部分と、前記主搬送路の終端部分から前記薄片を取り込んで前記収納搬送路に送り込むために前記主搬送側部材に設けた対向ローラとを備え、前記対向ローラは前記終端部分を形成する前記合流搬送部分に設けた前記主搬送路の搬送用駆動モータにて連動され、前記可変角度部分によって前記外側案内片と前記内側案内片との重ね合わせ量が可変することを特徴とする薄片搬送装置。
【請求項３】
請求項１または請求項２のいずれかに記載の薄片搬送装置を具備することを特徴とする遊技島装置。
【発明の詳細な説明】
【０００１】
【発明の属する技術分野】
この発明は、複数の入口から入れ込まれた紙幣のような薄片を所定の経路方向に搬送する薄片搬送装置ならびに、その利用装置、例えば、複数台の遊技機と、それに用いる球体やメダルなどの遊技用媒体を貸付ける対価として入れ込まれた紙幣などを搬送するための薄片搬送装置を設けた遊技島装置などに関するものである。
【０００２】
【従来の技術】
パチンコ遊技機、スロットマシン、パチンコ遊技機にスロットマシン機能を設けたパチンコ・スロット遊技機などの遊技機を、図１４のように、複数台配置して、１つのブロック状に構成したものを遊技島装置５００といい、この遊技島装置５００は、パチンコ店、スロットマシン店などの遊技店の内部において、あたかも複数の「島」を配置したように見えるので、通称を「島」とも呼ばれている。
【０００３】
なお、以下の図において、同一符号で示す部分は、いずれかの図において説明する同一符号の部分と同一の機能をもつ部分である。また、図中の太い線の部分は、その部分の端面または断面を略して画いた部分である。さらに、この発明において、部材とは、各構成部分を構成している構成材であって、単一または複数の構成要素によって構成した構成材をいうものである。
【０００４】
そして、図１４の遊技島装置５００の構成（以下、第１従来技術という）ように、遊技用媒体、すなわち、遊技用の球体やメダルなどの貸付対価として入れ込まれた紙幣、伝票、カード類などの薄片１００を搬送するための薄片搬送装置３００を遊技島装置５００に組み付けた構成が周知である。
【０００５】
図１４において、遊技島装置５００には、複数台の遊技機Ｂを前列側と後列側とに分けて配置するとともに、遊技機Ｂ間の所要箇所に、遊技用媒体（図示せず）を貸付けるための貸付装置（装置全体は図示せず）に入れ込まれた薄片１００を主搬送路Ｍに搬送するための副搬送路Ｓの部分を１つのブロック状に構成した副搬送部分Ｃを配置してある。なお、この発明において、上流側または下流側とは主搬送路Ｍにおける薄片１００の流れの上流側または下流側をいう。
【０００６】
また、前列側の遊技機Ｂと後列側の遊技機Ｂとの間の空間部分には、薄片搬送装置３００の主搬送部分４と合流搬送部分２とを連続させて構成した主搬送路Ｍを配置するとともに、薄片搬送装置３００の副搬送部分Ｃから入れ込まれた薄片１００を合流搬送部分２で主搬送路Ｍに合流させて、主搬送路部分４で主搬送路Ｍの方向に搬送しており、主搬送路Ｍの終端に設けた収納部分１１０に薄片１００を収納している。
【０００７】
収納部分１１０を、遊技島装置５００の外箱５０の下流側に設けた端板（この発明において、下流側端板という）５１に固定するとともに、下流側端板５１よりも外側に張り出した収納部分１１０の外側を鍵５２ａ付きの蓋５２Ａを設けた小さい覆箱５２で覆っている。なお、下流側端板５１は通称を「妻板」とも呼ばれている。
【０００８】
また、図示していないが、遊技島装置５００には、この他に、対価として入れ込まれた硬貨を搬送する搬送部分や、遊技媒体を搬送する搬送部分などが設けてある。
【０００９】
ここで、前列側と、後列側との区別は、構成を分かり易く説明するためのものであって、店内の配置される配置状態などに関連づける意味のものではない。また、遊技機Ｂの列を前列側または後列側のみで構成（以下、第２従来技術という）したものも周知である。
【００１０】
薄片搬送装置３００における主搬送路Ｍの全長は、配置場所や組付対象となる遊技島装置５００などの配置構成によって、種々に異なるため、主搬送路Ｍの終端部分Ｍ１、すなわち、収納部分１１０の収納搬送路Ｋの始端部分Ｋ１に接続する箇所の主搬送路Ｍの部分には、図１４のように、合流搬送部分２を配置した〔末端合流型〕の構成になる場合と、図１５の〔末端補間型〕ように、主搬送部分４を短い長さにして構成した補間用の主搬送部分Ｅを配置した構成（以下、第３従来技術という）になる場合と、図１５の〔末端主搬送型〕のように、主搬送部分４を配置した構成（以下、第４従来技術という）になる場合とがある。
【００１１】
そして、薄片１００、例えば、紙幣１００を副搬送路Ｓ・主搬送路Ｍ・収納搬送路Ｋに沿って搬送するための副搬送部分Ｃ・合流搬送部分２・主搬送部分４・収納部分１１０における具体的な搬送構成は、例えば、上記の第１従来技術の構成、すなわち、図１４の〔末端合流型〕の構成の場合には、図１６のように構成してある。
【００１２】
図１６の構成（以下、第５従来技術という）において、副搬送部分Ｃにおける搬送構成は、薄片１００の取込側と送出側とに対向して配置したプーリＣ１ａ・Ｃ１ｂ・Ｃ２ａ・Ｃ２ｂに掛け渡したベルトＣ３ａ・Ｃ３ｂのように、対向して配置した同一速度で送行する２つの無端状のベルトの間に薄片１００を挟み込んで搬送する機構（以下、対向ベルト搬送機構という）によって構成してある。
【００１３】
そして、プーリＣ１ａ・Ｃ１ｂまたはプーリＣ２ａ・Ｃ２ｂを、適宜の伝動機構（図示せず）、例えば、歯車機構を介して、副搬送部分Ｃに配置した駆動モータＣ４で駆動することにより副搬送路Ｓにおける薄片１００の搬送を行っている。
【００１４】
さらに、薄片１００の取込側と送出側とには、薄片１００の取込と送出とを所要の方向に対する搬送を所定の方向に安定して行い得るように搬送路を中心に対向して配置した案内片Ｃ１１・Ｃ１２を設けてある。
【００１５】
副搬送部分Ｃの送出側と、この送出側に対向する後記の合流搬送部分２の取込側との間の距離が長かったり、距離が変化したりする場合には、この間の搬送を橋渡しするために、内径を薄片１００、例えば、紙幣を案内しながら通過させられる大きさにした案内導管８を副搬送部分Ｃと合流搬送部分２との間に配置している。なお、案内導管８を設けない構成（以下、第６従来技術という）も周知である。
【００１６】
主搬送部分４における搬送構成も、同様に、上流側と下流側とに対向して配置したプーリ４４ａ・４４ｂ・４６ａ・４６ｂに掛け渡したベルト４５ａ・４５ｂによる対向ベルト搬送機構によって構成してある。
【００１７】
そして、プーリ４４ａ・４４ｂまたはプーリ４６ａ・４５ｂを、適宜の伝動機構、例えば、歯車機構を介して、後記の合流搬送部分２に配置した駆動モータ２６で駆動することにより当該部分の主搬送路Ｍにおける薄片１００の搬送を行っている。
【００１８】
合流搬送部分２における搬送構成は、主搬送路Ｍに沿って搬送を行う部分と、副搬送路Ｓからの薄片１００、例えば、案内導管８を介して送り込まれた薄片１００を主搬送路Ｍに合流させる搬送を行う部分とで構成してあり、主搬送路Ｍに沿って搬送を行う部分は、上流側に位置付けて主搬送路Ｍ上に対向して配置した取込用ローラ２１ａ・２１ｂにより、上流側の主搬送部分４から入れ込まれる薄片１００を取り込んで下流側に搬送するように構成してある。
【００１９】
そして、取込用ローラ２１ａ・２１ｂのうちの一方を他方に弾力的に押圧することにより、薄片１００を確実に搬送できるようにしている。この押圧は、例えば、ばね（図示せず）を一方のローラの軸に設けて他方のローラの軸側に押し付けるように構成してある。
【００２０】
副搬送路Ｓからの薄片１００を主搬送路Ｍに合流させる搬送を行う部分は、主搬送路Ｍを中心にして、前側と後側とに対称的に配置してあり、副搬送部分Ｃ側に位置付けて副搬送路Ｓ上に対向して配置した取込用ローラ２２ａ・２２ｂにより、副搬送部分Ｃから入れ込まれる薄片１００を取り込むとともに、取込用ローラ２２ａ・２２ｂで取り込まれた薄片１００を主搬送路Ｍに送り込むための送込ローラ２３とで構成してある。
【００２１】
そして、取込用ローラ２２ａ・２２ｂを、上記の取込用ローラ２１ａ・２１ｂと同様に、一方を他方に弾力的に押圧するように構成するとともに、送込ローラ２３を外周に薄片１００を掻き込む形状、例えば、周囲に複数の突起部分（図示せず）を設けた羽根車状の形状に形成することにより薄片１００の外面を摩擦力で掻き込んで、主搬送路Ｍ側に送出するように構成してある。
【００２２】
また、対向ローラ２１・２１ｂと、対向ローラ２２ａ・２２ｂと、送込ローラ２３とを、適宜の伝動機構（図示せず）、例えば、歯車機構を介して、合流搬送部分２に配置した駆動モータ２６で駆動することにより、合流搬送部分２における薄片１００の搬送を行うとともに、同様の伝動機構（図示せず）を介して、送込ローラ２３とプーリ４４ａ・４４ｂとを連動し、または、対向ローラ２１ａ・２１ｂとプーリ４６ａ・４６ｂを連動することによって主搬送部分４における薄片１００の搬送を行っている。
【００２３】
そして、上流側からの薄片１００の取込側と、副搬送路Ｓ側からの薄片１００を取込側と、上流側からの薄片１００と副搬送路Ｓ側からの薄片１００の送出側とには、薄片１００の取込と送出とを所要の方向に案内するように対向して配置した案内片２４・２５を設けてある。
【００２４】
なお、副搬送部分Ｃ・主搬送部分４・合流搬送部分２は、薄片１００の通路にならない箇所には、それぞれ、保護覆ＣＡ・４Ａ・２Ａを施すことにより、遊技媒体などの入り込みなどによる故障を防止するように保護している。
【００２５】
また、上記の送込ローラ２３の部分を取込用ローラ２２ａ・２２ｂと同様の構成にするとともに、ローラの外径を大きくするように変更した構成（以下、第７従来技術という）も周知である。
【００２６】
なお、主搬送部分４のプーリ４４ａ・４４ｂを上流側の合流搬送部分２の歯車機構と連動させるとともにプーリ４６ａ・４５ｂを下流が合流搬送部分２の歯車機構と連動させることにより、１つの合流搬送部分２のみに配置した駆動モータ２６により全体の合流搬送部分２と主搬送部分４とを駆動する構成（以下、第８従来技術という）が周知である。
【００２７】
さらに、同様の連動構成と複数個目ごとの合流搬送部分２のみに駆動モータ２６を配置して複数の合流搬送部分２と主搬送部分４とをブロック状に区分して搬送駆動する構成（以下、第９従来技術という）も周知である。
【００２８】
そして、上記の第３従来技術の〔末端補間型〕の場合には、主搬送部分４の対向ベルト搬送機構のベルト４５ａ・４５ｂの長さを短くした主搬送部分を補間用の主搬送部分Ｅが合流搬送部分２と収納部分１１０との間に配置され、また、上記の第４従来技術の〔末端主搬送型〕の場合には、主搬送部分４が合流搬送部分２と収納部分１１０との間に配置されることになる。
【００２９】
収納部分１１０の収納搬送路Ｋにおける搬送構成は、主搬送路Ｍから送り込まれる薄片１００を取り込むための対向ローラ１１１ａ・１１１ｂと、取り込まれた薄片１００を第１の貯留部分１１２に送り込むための対向ローラ１１３ａ・１１３ｂと、さらに、第２の貯留部分１１４に送り込むための対向ローラ１１５ａ・１１５ｂ・１１６ａ・１６６ｂとで構成してある。
【００３０】
これらの各対向ローラは、上記の対向ローラ２１ａ・２１ｂと同様に一方を他方に押圧するように構成するとともに、適宜の伝動機構（図示せず）を介して、収納部分１１０に配置した駆動モータ１１７で駆動することにより、収納搬送路Ｋにおける薄片１００の搬送を行っている。
【００３１】
そして、対向ローラ１１１ａ・１１１ｂで取り込まれた薄片１００の種別、例えば、薄片１００が紙幣の場合には、１０００円札・５０００円札・１００００円札などの種別を検出部分１１８で検出して得られる検出信号を制御部分（図示せず）に与えることにより、第１の貯留部分１１２に貯蓄するか、第２の貯蓄部分１１４に貯蓄するかを判別する。
【００３２】
第１の貯蓄部分１１２に貯蓄する薄片として判別されたときは、制御部分の制御動作により、薄片１００が第１の貯蓄部分１１２の箇所に位置づけられたときに、電動アクチェータ１１２Ａを駆動して押込機構１１２Ｂによって薄片１００を第１の貯蓄部分１１２側に移行させて貯蓄することにより、薄片１００を収納部分１１０に収納している。
【００３３】
第１の貯蓄部分１１２は、移行されてきた薄片１００をばね１１２Ｃで押される押板１１２Ｄと収納搬送路Ｋ側に配置した止板１１２Ｅとの間に挟み込んで保持することにより、薄片１００を水平方向に重ねて整頓しながら貯蓄する。
【００３４】
第２の貯蓄部分１１４に貯蓄する薄片１００として判別されたときは、制御部分の制御動作により、薄片１００を、第１の貯蓄部分１１２には無関係に通過させて、対向ローラ１１５ａ・１１５ｂ・１１６ａ・１６６ｂにより搬送して第２の貯蓄部分１１４に入れみ、垂直方向に重ねて整頓しながら貯蓄することにより、薄片１００を収納部分１１０に収納している。
【００３５】
こうした搬送を案内するために、上流側からの薄片１００の取込側と、第１の貯蓄部分１１２から第２の貯蓄部分１１４に向かう判別部分とには、薄片１００の取込と送込とを所要の方向に案内するように対向して配置した案内片１１９・１２０を設けてあり、さらに、案内片１２０の終端側は薄片１００の姿勢を変更するための案内片に形成してある。
【００３６】
なお、第１の貯蓄部分１１２の上側の位置には、例えば、図１４の〔下流側側面〕ように、上記の制御部分と上記の判別によって得られた薄片１００の種別ごとの枚数、判別し得なかった薄片１００の枚数などを表示する表示部分とを一体にした制御表示部分１１０Ａを配置してあり、その表示内容を覆箱５２に設けた覗き窓５２ｂから見ることができるように構成してある。
【００３７】
収納部分１１０の外周を覆った保護覆１２１は適宜の取付部分（図示せず）と取付ねじ（図示せず）とによって下流側端板５１に固定してあり、また、覆箱５２の蓋５２Ａの内側に対向する箇所に、内蓋１２２を設けてあって、薄片１００を管理する担当者は、覗き窓５２ｂから上記の表示内容を見るとともに、必要に応じて、鍵５２ａを操作して蓋５２Ａを開いた後に、内蓋１２２を開き、貯蓄部分１１２・１１４に貯蓄されている薄片１００を取り出している。
【００３８】
なお、第２の貯留部分１１４とこれに付随する搬送部分とを除去して全ての薄片１００、例えば、全ての種別の紙幣を第１の貯留部分１１２のみに貯留するようにした構成（以下、第１０従来技術という）も周知である。
【００３９】
図１６において、各案内片と、ローラ・プーリ・ベルトなどとが重なって画かれているいる部分は、高さ方向、すなわち、図の紙面に対して垂直な方向において、各案内片と、ローラ・プーリ・ベルトなどとの配置高さを異ならせて配置することにより、当該部分での搬送と案内との両機能が行えるように構成してある。なお、以下の図においても、同様である。
【００４０】
ところで、薄片搬送装置３００ならびにその利用装置、例えば、遊技島装置５００の配置は、配置場所の都合、例えば、店内が隅切りした角地などの都合、または、遊技客の入場感や遊技感を高める目的で、図１７のように、種々の配置形態にして配置せざるを得ない。
【００４１】
そして、図１７の〔湾曲斜交差配置形態〕の構成（以下、第１１従来技術という）では、遊技機Ｂの配列を湾曲させるとともに、薄片搬送装置３００または遊技機島装置５００の末端の配置方向を通路Ｙの通行方向ｙに対して斜めに交差して配置させている。
【００４２】
また、図１７の〔直線斜交差配置形態〕の構成（以下、第１２従来技術という）では、遊技機Ｂの配列を直線状にして、薄片搬送装置３００または遊技機島装置５００の末端の配置方向を、同様に、通路Ｙの通行方向ｙに対して斜めに交差して配置させている。
【００４３】
なお、一般的な店内配置では、遊技機島装置５００の外箱５０の上流側には店内８０の壁部８１、通路または図示した遊技機島装置５００と同様の遊技機島装置５００が対称に配置さており、また、通路Ｙの左側は店内８０の壁部８２または図示した遊技機島装置５００と同様の遊技機島装置５００が対称に配置さている。
【００４４】
そして、〔湾曲斜交差配置形態〕の構成の場合には、主搬送路Ｍを遊技機Ｂの配列の湾曲に合わせて折れ線状に形成するために、所要の箇所の主搬送部分４自体を途中箇所で屈曲させた構成のものを用いている。
【００４５】
さらに、薄片搬送装置３００または遊技機島装置５００の配置場所によっては、これらの斜交差形態の配置に加えて、図１７の〔直交配置形態〕の構成（以下、第１３従来技術という）のように通行方向ｙに対して直交させた配置のものを上記の〔湾曲斜交差配置形態〕や〔直線斜交差配置形態〕を混在させて配置させなければならない場合もある。
【００４６】
【発明が解決しようとする課題】
上記の第１１従来技術・第１２従来技術の構成のように、〔湾曲斜交差配置形態〕や〔直線斜交差配置形態〕のような配置の場合には、薄片搬送装置３００ならびにその利用装置、例えば、遊技島装置３００の末端にある収納部分１１０が通路Ｙの通行方向ｙに対して斜めに配置されているので、収納部分１１０を管理する担当者は通行方向ｙに対して斜めの姿勢をして収納部分１１０の表示内容の点検や開閉操作を行わなければならず、操作がやりずらいという第１の不都合がある。
【００４７】
また、遊技客にとっては、下流側端板５１が入り組んでいて店内の通路Ｙが乱雑な配置に見えるため、入りにくい店として感じたり、斜めに入り組んだ箇所の下流側端板５１が監視員の位置Ｚから監視の死角になるため、不心得者が合鍵を使って収納部分１１０から薄片１００、例えば、紙幣を盗み取り易いなどの第２の不都合がある。
このため、こうした不都合のない薄片搬送装置またはその利用装置、例えば、遊技島装置の提供が望まれているという課題がある。
【００４８】
【課題を解決するための手段】
この発明は、上記のような
複数台の遊技機が一列状態に配置されて遊技島装置が構成され、合流搬送部分と主搬送部分を連続させて薄片を搬送する主搬送路が形成され、前記遊技機間の所要箇所に配置された遊技媒体の貸付装置に入れ込まれた薄片を前記合流搬送部分によって主搬送路へ合流させ、前記合流搬送部分から入れ込まれる薄片を前記主搬送部分によって前記主搬送路に沿って搬送する薄片搬送装置が前記遊技島装置の背面側に沿って配置され、前記主搬送路の終端部に設ける下流側端板の外側面に取り付けた収納部分に薄片を搬送して収納するよう構成され、前記薄片搬送装置の末端が遊技店内の通路の通行方向に対して斜めに交差配置される薄片搬送装置において、
【００４９】
前記下流側端坂は前記通路の通行方向に対して平行に配置され、前記収納部分は前記主搬送路から搬送される前記薄片を取り込む収納搬送路を備え、前記主搬送路の終端部分を形成するよう前記合流搬送部分の１つが配置され、前記主搬送路の終端部分と前記収納搬送路の始端部分との間に、前記主搬送路の終端部分から斜めに搬送される前記薄片の搬送方向を前記収納搬送路の始端部分に向けて屈曲させる屈曲部分が配置され、前記屈曲部分は、前記薄片を前記主搬送路の終端部分から前記収納搬送路の始端部分へ案内するよう前記終端部分を形成する前記合流搬送部分に固定した主搬送側部材に設けた内側案内片と、この内側案内片が入れ込まれるよう前記始端部分に固定した収納側部材に設けた外側案内片と、前記主搬送側部材と前記収納側部材とを連結してこの両者のなす角度を可変する可変角度部分とを備え、前記可変角度部分によって前記外側案内片と前記内側案内片との重ね合わせ量が可変することを特徴とする第１の構成と、
【００５０】
前記下流側端坂は前記通路の通行方向に対して平行に配置され、前記収納部分は前記主搬送路から搬送される前記薄片を取り込む収納搬送路を備え、前記主搬送路の終端部分を形成するよう前記合流搬送部分の１つが配置され、前記主搬送路の終端部分と前記収納搬送路の始端部分との間に、前記主搬送路の終端部分から斜めに搬送される前記薄片の搬送方向を前記収納搬送路の始端部分に向けて屈曲させる屈曲部分が配置され、前記屈曲部分は、前記薄片を前記主搬送路の終端部分から前記収納搬送路の始端部分へ案内するよう前記主搬送路の終端部分を形成する前記合流搬送部分に固定した主搬送側部材に設けた内側案内片と、この内側案内片の先端部分が入れ込まれるよう前記始端部分に固定した収納側部材に設けた外側案内片と、前記主搬送側部材と前記収納側部材とを連結してこの両者のなす角度を可変する可変角度部分と、前記主搬送路の終端部分から前記薄片を取り込んで前記収納搬送路に送り込むために前記主搬送側部材に設けた対向ローラとを備え、前記対向ローラは前記終端部分を形成する前記合流搬送部分に設けた前記主搬送路の搬送用駆動モータにて連動され、前記可変角度部分によって前記外側案内片と前記内側案内片との重ね合わせ量が可変することを特徴とする第２の構成と、
【００５２】
更に、第１の構成または第２の構成のいずれかに記載の薄片搬送装置を具備する遊技島装置とすることにより、上記の課題を解決したものである。
【００５３】
【発明の実施の形態】
この発明の実施の形態として、この発明を上記の第１１従来技術・第１２従来技術の配置形態で第１従来技術・第５従来技術の装置構成をもつものに適用した実施例を説明する。
【００５４】
【実施例】
〔第１実施例〕
以下、図１〜図３・図５〜図１３により第１実施例を説明する。この第１実施例の構成が上記の第１１従来技術・第１２従来技術の構成と異なる箇所は次の箇所である。
【００５５】
第１には、主搬送路Ｍの終端部分Ｍ１、例えば、合流搬送部分２の下流側の側面部分の位置の終端部分Ｍ１と、収納搬送路Ｋの始端部分Ｋ１、例えば、収納部分１１０の上流側の側面部分の位置の始端部分Ｋ１との間に、薄片１００、例えば、紙幣の搬送方向を屈曲させるための屈曲部分６０を設けることにより、外箱５０の下流側端板５１を通路Ｙの通行方向ｙと平行に配置できるように構成した箇所である。
【００５６】
なお、第１１従来技術の〔湾曲斜交差配置形態〕の構成と第１２従来技術の〔直線斜交差配置形態〕の構成とは、全体から見た見掛け上は、湾曲と直線という異なりがあるが、装置の下流側の末端部分に限って見ると、当該部分では同一の配置形態になっているので、同様に対処することができる。
【００５７】
第２には、上記の終端部分Ｍ１に固定する主搬送側部材６１と、上記の始端部分Ｋ１に固定する収納側部材６２との間の挟角θを上記の屈曲の内側位置Ｐ１を支点ｐ１として変化させるようにした可変角度部分６３を設けることにより、挟角θを図２のように大きな挟角θ１の状態と図３のように小さい挟角θ２の状態とに可変できるように構成した箇所である。
【００５８】
第３には、主搬送側部材６１に保持された内側案内片６４によって薄片１００、例えば、紙幣を上記の終端部分Ｍ１から上記の始端部分Ｋ１に案内するように構成した箇所である。なお、内側案内片６４の上流側の部分は、合流搬送部分２における送出側の案内片２５の下流側部分が入れ込まれるように構成することにより、屈曲部分６０における薄片１００、例えば、紙幣の取り込みが確実に行われるようにしてある。
【００５９】
第４には、収納側部材６２に保持された外側案内片６５の内側に内側案内片６４を入れ込ませるとともに、外側案内片６５と内側案内片６４とが重り合っている部分の長さ、すなわち、重ね合わせ量が挟角θの変化に対応して変化する重複部分６６を設けて屈曲部分６０を構成した箇所である。
【００６０】
つまり、この第１実施例の構成は、概括的には、第１には、
副搬送部分Ｓから入れ込まれる薄片１００、例えば、紙幣を主搬送路Ｍに合流させて搬送する合流搬送部分２と、上記の合流搬送部分２から入れ込まれる上記の薄片１００、例えば、紙幣を上記の主搬送路Ｍに沿って搬送する主搬送部分４とを設けるとともに、
【００６１】
上記の主搬送路Ｍの終端部分Ｍ１から入れ込まれる上記の薄片１００、例えば、紙幣を収納搬送路Ｋに沿って搬送する収納部分１１０を設けた薄片搬送装置３００において、
【００６２】
上記の終端部分Ｍ１と上記の収納搬送路Ｋの始端部分Ｋ１との間に上記の薄片１００、例えば、紙幣の搬送方向を屈曲させる屈曲部分６０を配置する搬送路屈曲手段
を設けた上記の第１の構成を構成していることになるものである。
【００６３】
第２には、上記の第１の構成において、
上記の終端部分Ｍ１に固定する主搬送側部材６１と上記の始端部分Ｋ１に固定する収納側部材６２との間の挟角θを上記の屈曲の内側位置Ｐ１を支点ｐ１として変化させる可変角度部分６３と、上記の薄片１００、例えば、紙幣を上記の終端部分Ｍ１から上記の始端部分Ｋ１へ案内する上記の主搬送側部材６１に保持された内側案内片６４と、
【００６４】
上記の内側案内片６４が入れ込まれる上記の収納側部材６２に保持された外側案内片６５との重ね合わせ量が上記の挟角θの変化に対応して変化する重複部分６６を設けて上記の屈曲部分６０を構成する屈曲部分構成手段
を設けた上記の第２の構成を構成していることになるものである。
【００６５】
第３には、遊技島装置５００において、
上記の第１の構成〜第２の構成を設けた上記の第４の構成を構成していることになるものである。
【００６６】
そして、第４には、上記の第４の構成において、
上記の収納部分１１０を外箱５０の下流側端板５１に固定するとともに、上記の屈曲、すなわち、屈曲部分６０による屈曲によって、上記の下流側端板５１を通路Ｙの通行方向ｙと平行に配置する端板配置手段
を設けた上記の第５の構成していることになるものである。
【００６７】
そして、具体的には、後記の第２実施例における図５〜図１３による具体構成のうちから、対向ローラ６７ａ・６７ｂとこれらに関連する部材の部分を除去して構成したものである。
【００６８】
したがって、この第１実施例の構成によれば、収納部分１１０の鍵５２ａ付きの蓋５２Ａと下流側端板５１とを、屈曲部分６０の挟角θによって、通路Ｙの通行方向ｙと平行に配置させることができるので、上記の第１の不都合と第２の不都合とを無くした薄片搬送装置３００ならびにその利用装置、例えば、遊技島装置５００を提供するできることになる。なお、挟角θが後側に配置される配置形態の場合には、屈曲部分６０の構成を逆手にして構成すれば、上記の構成と同様に適用し得ることは言うまでもない。
【００６９】
〔第２実施例〕
以下、図４〜図１３により第２実施例を説明する。この第２実施例の構成が上記の第１実施例の構成と異なる箇所は次の箇所である。
【００７０】
第１には、薄片１００、例えば、紙幣を主搬送路Ｍから取り込んで収納搬送路Ｋに入れ込むための搬送用ローラ、例えば、対向ローラ６７ａ・６７ｂを主搬送側部材６１に設けるように構成した箇所である。
【００７１】
第２には、搬送用ローラ、例えば、対向ローラ６７ａ・６７ｂを主搬送路Ｍのの搬送用駆動源、例えば、合流搬送部分２に設けた駆動モータ２６に連動させて駆動するように構成した箇所である。
【００７２】
つまり、この第２実施例の構成は、概括的には、第１には、
上記の第１実施例の構成と同様の上記の第１の構成・第２の構成・第４の構成・第５の構成を構成していることになるものである。
【００７３】
第２には、上記の第２の構成において、
上記の薄片１００、例えば、紙幣を上記の主搬送路Ｍから取り込んで上記の収納搬送路Ｋに入れ込む搬送用ローラ、例えば、対向ローラ６７ａ・６７ｂを上記の主搬送側部材６１に設けるとともに、
【００７４】
上記の搬送用ローラ、例えば、対向ローラ６７ａ・６７ｂを上記の主搬送路Ｍの搬送用駆動源、例えば、合流搬送部分２に配置した駆動モータ２６に連動させて駆動する搬送駆動手段
を設けた第３の構成を構成していることになるものである。
【００７５】
第３には、遊技島装置５００において、
上記の第３の構成を設けた上記の第４の構成を構成していることになるものである。
【００７６】
第４には、この第４の構成において、
上記の収納部分１１０を外箱５０の下流側端板５１に固定するとともに、上記の屈曲、すなわち、屈曲部分６０による屈曲によって、上記の下流側端板５１を通路Ｙの通行方向ｙと平行に配置する端板配置手段
を設けた上記の第５の構成していることになるものである。
【００７７】
そして、具体的には、屈曲部分６０を図５〜図１３のように構成してあり、また、主搬送側部材６１は、図８・図１０のように、複数の要素でなる構成材により、上下を箱状部分６１Ａ・６１Ｂに構成するとともに、中央に貫通穴６１Ｈを配置した部材に形成しているものである。
【００７８】
図５において、対向ローラ６７ａ・６７ｂのうちの一方のローラ６７ａの駆動は、ローラ６７ａの軸６７ａ１の上端側に固定して設けた歯車６７ａ２を、合流搬送部分２に設けた中間歯車２３Ｂを介して、合流搬送部分２の送込ローラ２３の軸２３ａの上端側に固定して設けた歯車２３Ａに連動させることにより、送込ローラ２３とローラ６７ａとが同一方向に回転するように駆動している。
【００７９】
また、他方のローラ６７ｂの駆動は、図８・図１０のように、対向ローラ６７ａ・６７ｂの各軸６７ａ１・６７ｂ１の各下端側に固定して設けた各歯車６７ａ３・３７ｂ３を連動させてローラ６７ａとローラ６７ｂとが反対方向に回転するように駆動している。
【００８０】
なお、上下の各歯車６７ａ２・６７ａ３・６７ｂ３の部分を主搬送側部材６１の上下の箱状部分６１Ａ・６１Ｂの内部に配置することによって、外部から故障原因になるような物体、例えば、遊技媒体などが入り込まないように構成している。
【００８１】
各軸６７ａ１・６７ｂ１は、主搬送側部材６１の上下に配置した水平方向の支持板部分６１Ｃ・６１Ｄに設けた各軸受６７ａ５・６７ａ６・６７ｂ５・６７ｂ６によって保持されている。なお、支持板部分６１Ｃ・６１Ｄから下流側に張り出した上下の各案内片６１ａ・６１ｂは、薄片１００、例えば、紙幣の上下の縁部分を案内するものである。
【００８２】
各ローラ６７ａ・６７ｂは、上下に間隔を置いて配置した複数の溝ｍをもつ短円柱状に形成するとともに、断面が円形の摩擦用リングｒ、例えば、ウレタンゴム材で形成したリングを嵌め着けて構成したものを貫通穴６１Ｈの中に位置付けて配置してある。
【００８３】
そして、一方のローラ６７ａには上下の溝ｍのみに摩擦用リングｒを嵌め着け、他方のローラ６７ｂには中間の溝ｍのみに摩擦用リングｒを嵌め着けるとともに、水平面内でみると、一方の摩擦用リングｒの外径と他方の摩擦用リングｒの外径とが入り組んで重なるように配置することにより、薄片１００、例えば、紙幣の高さ方向の中央部分を蛇行状に曲げるように形成しながら搬送するようにして、搬送を確実に行えるようにするとともに、この部分で薄片１００が行き詰まったときに、薄片１００を取り出し易くしている。
【００８４】
内側案内片６４は、前側の案内片６４ａと後側の案内片６４ｂとを屈曲させる搬送路Ｒに沿って折れ面状に湾曲させてあり、それぞれ、上方の内側案内片６４Ａと下方の内側案内片６４Ｂとに分けて配置するとともに、各内側案内片６４Ａ・６４Ｂの各軸６７ａ１・６７ｂ１よりも下流側の部分を上下に分けた２つの案内片に形成することにより、柔軟性をもたせるように形成したものを貫通穴６１Ｈを貫通するようにして配置してあり、また、上流側の部分６４Ｃの中に合流搬送部分２における送出側の案内片２５の下流側先端部分を入れ込むようにして、屈曲部分６０側での薄片１００を取込を安定・確実にしている。
【００８５】
各内側案内片６４Ａ・６４Ｂの各中間から前側と後側とに張り出した各張出片６４ｃ・６４ｄを主搬送側部材６１の内側に配置した垂直方向の張出部分６１Ｅ・６１Ｆにねじｓ１で固定することによって、各内側案内片６４Ａ・６４Ｂを主搬送側部材６１で保持している。
【００８６】
合流搬送部分２に対する主搬送側部材６１の固定は、主搬送側部材６１の上端側から上流側に張り出した水平方向の張出部分６１Ｘと、主搬送側部材６１の下端側に張り出した張出部分６１Ｙとを、各ねじｓ２・ｓ３で、合流搬送部分２に固定している。
【００８７】
収納側部材６２は、図９・図１０のように垂直方向の単一の板状体６２Ａの中央に貫通穴６２Ｂを配置した部材に形成したものである。そして、外側案内片６５が貫通穴６２Ｂを貫通するように配置してある。
【００８８】
外側案内片６５は、前側の案内片６５ａと後側の案内片６５ｂとを屈曲させる搬送路Ｒに沿って折れ面状に湾曲させてあり、それぞれ、上流側を平板状部分６５Ａ・６５Ｂに形成するとともに、下流側には内側案内片６４の上下の各内側案内片６４Ａ・６４Ｂと対応する位置に平板状部分６５Ａ・６５Ｂから分岐して張り出した上下の各外側案内片６５Ｃ・６５Ｄを配置してある。
【００８９】
そして、平板状部分６５Ａ・６５Ｂの上流側の各縁から前側と後側と張り出した平板状部分６５Ｅ・６５Ｆから、さらに、下流側に戻すように張り出した上下の各張出部分６５Ｇ・６５Ｈを貫通穴６２Ｂの前後の縁に沿って各ねじｓ５・ｓ６で板状体６２Ａに固定してある。
【００９０】
収納部分１１０に対する収納側部材６２の固定は、収納側部材６２の上端側と下端側とを、各ねじｓ７・ｓ８で、収納部分１１０に固定している。なお、内側案内片６４ａ・６４ｂと外側案内片６５ａ・６５ｂとの折れ面による湾曲は、加工を簡易に行うために折れ面により形成したものなので、必要に応じて、曲面による湾曲に変更して形成してもよいものである。
【００９１】
可変角度部分６３は、図１０のように、主搬送側部材６１の後側の面にねじｓ４・ｓ５で固定したＬ字形の構成材６１Ｕ・６１Ｖの各水平方向の張出部分に支点ｐ１をピン継手で構成するためのピン継手用の穴ｐ１１を設けるとともに、収納側部材６２の上端と下端の後側の位置から水平方向の張出部分６２Ｕ・６２Ｖの下面側にピン継手用のピンｐ１２を設けておき、例えば、ねじｓ５またはねじｓ６の取り外しと取り付け直しとにより、穴ｐ１１をピンｐ１２に入れ込むことによって、図５〜図７のように、主搬送側部材６１と収納側部材６２とを連結させ、挟角θを図６のような大きな挟角θ１の開角状態から図７のような小さな挟角θ２の閉角状態の間で可変できるように構成してある。
【００９２】
ここで、可変角度部分６３によって挟角θを挟角θ１の開角状態にしたときは、図５・図６のように、内側案内片６４の下流側の先端が外側案内片６５の上流側の入口付近に位置付けられるが、薄片１００、例えば、紙幣は内側案内片６４の前側の案内片６４ａと後側の案内片６４ｂとの間に形成されている屈曲した搬送路Ｒに沿って案内された後に、外側案内片６５の前側の案内片６５ａと後側の案内片６５ｂとの間に形成されている搬送路Ｒと収納搬送路Ｋとの接続部分に沿って案内されて収納搬送路Ｋに送り込まれるという安定・確実な搬送によって搬送を行うことができるわけである。
【００９３】
そして、可変角度部分６３によって挟角θを挟角θ２の閉角状態にしたときは、図７のように、内側案内片６４の下流側の先端が外側案内片６５の下流側の出口付近に位置付けられることにより、薄片１００、例えば、紙幣は内側案内片６４の前側の案内片６４ａと後側の案内片６４ｂとの間に形成されている屈曲した搬送路Ｒに沿って案内されながら収納搬送路Ｋに送り込まれるという安定・確実な搬送によって搬送を行うことができるわけである。
【００９４】
したがって、屈曲部分６０の挟角θを可変角度部分６３によって挟角θ１の開角状態から挟角θ２の閉角状態までの間の任意の角度にしても、同様にして、安定・確実な搬送を行うことができる。
【００９５】
内側案内片６４・外側案内片６５の各案内片は、例えば、厚さ０．８〜１．０ｍｍ程度のステンレス鋼板などで形成してあるので、挟角θ１を大きい角度にしたい場合には、図１１に鎖線で示したように、内側案内片６４の長さを長くして製作しておき、現場での屈曲状態に合わせて配置した際に、内側案内片６４の下流側の先端が外側案内片６５の下流側の先端から突き出して邪魔になる部分の長さだけ切断して所要の長さにするように変更して構成することができる。なお、上記のステンレス鋼板を表面の摩擦抵抗と摩耗とが少ない材質の合成樹脂材に変更して構成することにり、上記の切断を更に容易にすることができる。
【００９６】
また、図１２のように、支点Ｐ１の位置を上流側に移転させて構成することにより、対向ローラ６７ａ・６７ｂと外側案内片６５との間の距離と、上下の案内片６１ａ・６１ｂと収納側部材６２の平板状体６２Ａとの間の距離とを広げることによって、挟角θ２の閉角状態における挟度θを０°程度まで小さくすることができる。
【００９７】
さらに、内側案内片６４を、図１２に鎖線で示したように、十分に長い長さに変更して製作することにより、挟角θ１の開角状態における角度を９０°程度まで大きくするとともに、上記の切断によって、現場において、より広い範囲の屈曲に調整することができる。
【００９８】
屈曲部分６０の箇所の上面側には相当大きな隙間が開き、この隙間から故障原因になる物体、例えば、遊技用媒体などが入り込み易いので、必要に応じて、図１３のように、覆体７０を施すことができる。
【００９９】
図１３において、覆体７０は、例えば、図１３の〔要部部品／斜視〕のように、上下に重ね合わせられるように逆Ｌ字形に折り曲げた２枚の覆片７１・７２を、図１３の〔覆閉状態／内部平面〕のように、水平面内における配置角度をずらせた状態にしてねじｓ１１で主搬送側部材６１の上面側に固定することにより、上記の隙間を覆って塞ぐことができる。
【０１００】
また、図１３の〔覆開状態／内部平面〕のように、覆片７１・７２を主搬送側部材６１の上面側に揃えて重ね合わせた状態にしてねじｓ１１で主搬送側部材６１の上面側に固定することにより、皺だらけの不良な薄片１００などが行き詰まりを起こした場合に、上記の隙間から、その有無の点検と取り出しとを行えるようにしたものである。
【０１０１】
なお、上記の覆状態の変更を容易にするために、ねじｓ１１用の各穴７１ａ・７２ａを長穴にして形成してあり、また、上記の覆閉状態でも前側から上記の行き詰まりの有無を点検し得るように、覆片７１・７２の垂直方向の各垂下部分７１ｂ・７２ｂの高さを搬送される薄片１００、例えば、紙幣の高さの半分程度の位置までが前側から見える高さまでにしてある。
【０１０２】
したがって、この第２実施例の構成によれば、上記の第１実施例と同様に、収納部分１１０の鍵５２ａ付きの蓋５２Ａと下流側端板５１とを、屈曲部分６０の挟角θによって、通路Ｙの通行方向ｙと平行に配置させることができるので、上記の第１の不都合と第２の不都合とを無くし得るほか、対向ローラ６７ａ・６７ｂによって屈曲部分６０における搬送を安定・確実にした薄片搬送装置３００ならびにその利用装置、例えば、遊技島装置５００を提供するできることになる。なお、挟角θが後側に配置される配置形態の場合には、屈曲部分６０の構成を逆手にして構成すれば、上記の構成と同様に適用し得ることは言うまでもない。
【０１０３】
〔変形実施〕
この発明は次のように変形て実施することを含むものである。
（１）対向ローラ６７ａ・６７ｂの一方、例えば、ローラ６７ｂを単なる円柱状体に変更するとともに、いずれか一方、例えば、ローラ６７ｂの軸をばねで押すようにして他方のローラに弾力的に押圧させるように変更して構成する。
【０１０４】
（２）主搬送側部材６１・収納側部材６２・案内片６４・６５の構成材の各形状や組付け構成を、目的とする機能を損なわない範囲において任意に変更して構成する。
【０１０５】
（３）屈曲部分６０の各部分を左右対称の形状、または、上下左右対称の形状に構成しておくことにより、挟角θが後側に配置される配置形態の場合にも、そのまま利用できるように構成する。
【０１０６】
（４）内側案内片６４を短くして構成した場合には、内側案内片６４が外側案内片６５から完全に抜け出してしまわない範囲の挟角θの箇所に行き過ぎを防止する適宜のストッパー、例えば、収納側部材６２から張り出した張出部分を収納主搬送側部材６１の面に突き当てる構造部分を設けて構成する。
【０１０７】
（５）挟角θを小さくするとローラ６７ａ・６７ｂが外側案内片６５に突き当たる構成の場合には、突き当たる手前の挟角θの箇所に行き過ぎを防止するストッパー、例えば、主搬送部材６１から張り出した張出部分を収納側部材６１の面に突き当てる構造部分を設けて構成する。
【０１０８】
（６）内側案内片６４・外側案内片６５の両方または一方の全体を合成樹脂財で形成して構成する。
【０１０９】
（７）第１実施例・第２実施例・上記（１）〜（６）の構成を上記の第２従来技術〜第４従来技術・第６従来技術〜第１０従来技術の構成のいずれか１つまたは複数を取り入れた構成に適用して構成する。
【０１１０】
【発明の効果】
この発明によれば、以上のように、湾曲斜交差配置形態・直線斜交差配置形態などにおいて、主搬送路の方向が通路の通行方向に対して斜めに交差して配置させなければならない場合でも、収納部分の鍵付きの蓋と下流側端板とを、ごく簡便な構成の屈曲部分によって、通路の通行方向と平行に配置させることができるので、収納部分の管理する担当者が通行方向に平行した姿勢で収納部分の表示内容の点検や開閉操作を行い得るので管理作業が簡易に行ない得る。
【０１１１】
また、下流側端板が通路の通行方向に沿って整然と並べさせられるので、遊技客にとっても入り易い店として感じとれるほか、収納部分が監視員の位置から監視の死角にならないため、不心得者が合鍵を使って収納部分の薄片、例えば、紙幣を盗み取るような盗難事故を未然に防止し得るなどの特長をもつ薄片搬送装置ならびにその利用装置、例えば、遊技島装置などを簡便安価な構成にして提供し得るなどの効果が得られる。
【図面の簡単な説明】
図面中、図１〜図１３はこの発明の実施例を、また、図１３〜図１７は従来技術を示し、各図の内容は次のとおりである。
【図１】店内配置状態全体構成横断平面図
【図２】要部構成内部横断平面図
【図３】要部構成内部横断平面図
【図４】要部構成内部横断平面図
【図５】要部具体構成内部平面図
【図６】要部具体構成内部横断平面図
【図７】要部具体構成内部横断平面図
【図８】要部具体構成分解側面図
【図９】要部具体構成分解側面図
【図１０】要部具体構成分解状態斜視図
【図１１】要部具体構成内部横断平面図
【図１２】要部具体構成内部横断平面図
【図１３】要部具体構成内部平面・要部部品斜視図
【図１４】全体構成側面・縦断側面・横断平面図
【図１５】全体構成横断平面図
【図１６】要部構成内部横断平面図
【図１７】店内配置状態全体構成横断平面図
【符号の説明】
２  合流搬送部分
２Ａ  保護覆
４  主搬送部分
４Ａ  保護覆
８  案内導管
２１ａ・２１ｂ  取込用ローラ
２２ａｙ２２ｂ  取込用ローラ
２３  送込ローラ
２３Ａ  歯車
２３Ｂ  中間歯車
２３ａ  軸
２４  案内片
２５  案内片
２６  駆動モータ
４４ａ・４４ｂ  プーリ
４５ａ・４５ｂ  ベルト
４６ａ・４６ｂ  プーリ
５０  外箱
５１  下流側端板
５２  覆箱
５２Ａ  蓋
５２ａ  鍵
６０  屈曲部分
６１  主搬送側部材
６１Ａ・６１Ｂ  箱状部分
６１Ｃ・６１Ｄ  支持板部分
６１Ｅ・６１Ｆ  張出部分
６１Ｘ・６１Ｙ  張出部分
６１Ｈ  貫通穴
６１Ｕ・６１Ｖ  Ｌ字形構成材
６１ａ・６１ｂ  案内片
６２  収納側部材
６２Ａ  板状体
６２Ｂ  貫通穴
６２Ｕ・３２Ｖ  張出部分
６３  可変角度部分
６４  内側案内片
６４Ａ  上方内側案内片
６４Ｂ  下方内側案内片
６４Ｃ  上流側部分
６４ａ  後側案内片
６４ｂ  前側案内片
６４ｃ・６４ｄ  張出片
６５  外側案内片
６５Ａ・６５Ｂ  平板状部分
６５Ｃ・６５Ｄ  外側案内片
６５Ｅ・６５Ｆ  平板状部分
６５Ｇ・６５Ｈ  張出部分
６５ａ  前側案内片
６５ｂ  後側案内片
６６  重複部分
６７ａ・６７ｂ  対向ローラ
６７ａ１・６７ｂ１  軸
６７ａ２・６７ａ３・６７ｂ３  歯車
６７ａ５・６７ｂ５・６７ａ６・６７ｂ５  軸
７０  覆体
７１・７２  覆片
７１ａ・７２ａ  穴
７１ｂ・７２ｂ  垂下部分
１００  薄片
１１０  収納部分
１１１ａ・１１１ｂ  対向ローラ
１１２  貯留部分
１１２Ａ  電動アクチェータ
１１２Ｂ  押込機構
１１２Ｃ  ばね
１１２Ｄ  押板
１１２Ｅ  止板
１１３ａ・１１３ｂ  対向ローラ
１１４  貯留部分
１１５ａ・１１５ｂ・１１６ａ・１１６ｂ  対向ローラ
１１７  駆動モータ
１１８  検出部分
１１９・１２０  案内片
１２２  内蓋
３００  薄片搬送装置
５００  遊技島装置
Ｂ  遊技機
Ｃ  副搬送部分
ＣＡ  保護覆
Ｃ１ａ・Ｃ１ｂ・Ｃ２ａ・Ｃ２ｂ  プーリ
Ｃ３ａ・Ｃ３ｂ  ベルト
Ｃ４  駆動モータ
Ｃ１１・Ｃ１２  案内片
Ｅ  補間用主搬送部分
Ｋ  収納搬送路
Ｋ１  始端部分
Ｍ  主搬送路
Ｍ１  終端部分
Ｐ１  内側位置
ｐ１  支点
ｐ１１  穴
ｐ１２  ピン
Ｒ  屈曲搬送路
Ｙ  通路
Ｚ  監視員位置
ｍ  溝
ｒ  摩擦用リング
ｓ１〜ｓ１１  ねじ
ｙ  通行方向
θ  挟角
θ１  大挟角
θ２  小挟角
【図１】
0003966731.tif 000002
【図２】
0003966731.tif 000003
【図３】
0003966731.tif 000004
【図４】
0003966731.tif 000005
【図５】
0003966731.tif 000006
【図６】
0003966731.tif 000007
【図７】
0003966731.tif 000008
【図８】
0003966731.tif 000009
【図９】
0003966731.tif 000010
【図１０】
0003966731.tif 000011
【図１１】
0003966731.tif 000012
【図１２】
0003966731.tif 000013
【図１３】
0003966731.tif 000014
【図１４】
0003966731.tif 000015
【図１５】
0003966731.tif 000016
【図１６】
0003966731.tif 000017
【図１７】
0003966731.tif 000018